(57)【要約】      （修正有） 【課題】立体視することのできる興趣に富んだ装飾を有し、手軽で、且つ書類を収納した状態であっても立体絵柄を楽しむことができる書類フォルダを提供する。【解決手段】表シート部１１と、表シート部端部に連設され表シート部の裏面に隣接して配される裏シート部１３とを備え、表シート部と裏シート部との間に書類を挟持することができる書類フォルダ１０であって、表シート部には、アナモルフォーシスを用いて描かれた絵柄を備えた装飾部１５を有し、装飾部の絵柄は、表シート部表面に対して正面以外の所定の角度から見ることにより立体的に見えるように構成されていることを特徴とする。【選択図】図１
0003199118.tif 000002
【実用新案登録請求の範囲】
【請求項１】
表シート部と、前記表シート部端部に連設され前記表シート部の裏面に隣接して配される裏シート部とを備え、前記表シート部と裏シート部との間に書類を挟持することができる書類フォルダであって、
前記表シート部には、アナモルフォーシスを用いて描かれた絵柄を備えた装飾部を有し、前記装飾部の絵柄は、前記表シート部表面に対して正面以外の所定の角度から見ることにより立体的に見えるように構成されていることを特徴とする書類フォルダ。
【請求項２】
前記表シート部及び前記裏シート部は一枚の長方形状シートの長さ方向中間部において折り畳んで形成され、長さ方向一端部は溶着により接合されており、前記装飾部の絵柄は、前記表シート部の長さ方向において、正規の絵柄寸法よりも大きい縮尺となるように描かれていることを特徴とする請求項１に記載の書類フォルダ。
【請求項３】
前記表シート部及び前記裏シート部は、透明性を有する合成樹脂により形成され、前記装飾部の絵柄は、前記表シート部の裏面に印刷により形成されていることを特徴とする請求項２に記載の書類フォルダ。
【請求項４】
前記表シート部及び前記裏シート部は其々、Ａ４サイズの書類を収容することができる大きさに形成されており、前記表シート部の幅方向の開放端部には、切欠部が設けられていることを特徴とする請求項３に記載の書類フォルダ。
【請求項５】
前記表シート部及び前記裏シート部は延伸ポリプロピレンにより形成されていることを特徴とする請求項３に記載の書類フォルダ。
【考案の詳細な説明】
【技術分野】
【０００１】
本考案は書類を挟んでおくことができる書類フォルダの改良に関する。
【背景技術】
【０００２】
従来より、書類フォルダとしては、クリアファイルのように書類を一時的に挟持して汚れや傷から保護するものが用いられている。このような書類フォルダは、気軽に使用することができ且つ非常に安価であり、文具として学生や生徒にも利用されている。
【０００３】
一方で、学生や生徒が文具として利用する際には、単に収納具としての手軽さや価格の魅力だけではなく、立体視できる絵柄のような興趣に富んだ装飾を施すことによって、利用する楽しさを提供することができ、より購買意欲を高めることができる。
【０００４】
このような書類フォルダとしては、例えば、特許文献１のメガネ付きクリアホルダーが提案されている。特許文献１のメガネ付きクリアホルダーは、アナグリフと呼ばれる立体写真技術で撮影された絵柄が印刷されており、ミシン目を介して連設されたメガネ部を切り離し、メガネ部を通じて印刷物を見ることにより絵柄を立体的に見ることができるものである。
【０００５】
特許文献１のメガネ付きクリアホルダーは前述のように絵柄を立体的に見ることができるという興趣に富んだ装飾性を備えている一方で、アナグリフと呼ばれる技法は、左右の眼のレンズに相当する部位に赤色及び青色を配したメガネが必要となるため、手軽に立体絵柄を楽しめるものではなかった。
【０００６】
本考案者はこのような観点から特許調査を行い特許文献２を確認した。特許文献２に開示されている書類フォルダーは、デザイン対象の裏表を其々裏シートと表シートとに同じ位置に重なるように配することにより、裏表各シートを重ねた状態において観た際にはデザイン対象は立体感を伴ってみることができる。
【０００７】
しかしながら、特許文献２のような書類フォルダーは、例えば、表シートと裏シートとの間に書類を収納した際には、立体感のあるデザイン対象を観ることはできなかった。
【特許文献１】登録実用新案第３１３３７７１号公報
【特許文献２】公開特許第平９−３０９２９１号公報
【考案の開示】
【考案が解決しようとする課題】
【０００８】
そこで、本考案は、このような従来の要請に基づくものであって、立体視することのできる興趣に富んだ装飾を有し、手軽で、且つ書類を収納した状態であっても立体絵柄を楽しむことができる書類フォルダを提供することを課題とする。
【課題を解決するための手段】
【０００９】
前記課題を解決するために、請求項１に記載の書類フォルダにあっては、表シート部と、前記表シート部端部に連設され前記表シート部の裏面に隣接して配される裏シート部とを備え、前記表シート部と裏シート部との間に書類を挟持することができる書類フォルダであって、前記表シート部には、アナモルフォーシスを用いて描かれた絵柄を備えた装飾部を有し、前記装飾部の絵柄は、前記表シート部表面に対して正面以外の所定の角度から見ることにより立体的に見えるように構成されていることを特徴とする。
【００１０】
従って、請求項１に記載の書類フォルダは、前記表シート部には、アナモルフォーシスというデザイン技法を用いて描かれた絵柄を備えた装飾部を有し、前記装飾部の絵柄は、前記表シート部表面に対して正面以外の所定の角度から観ることにより立体的に見えるように構成されていることから、表シート部の正面から見た際には、歪んだ絵柄であるが、所定の角度から見た際には浮き上がるような立体的な絵柄を見ることができる。
【００１１】
請求項２に記載の書類フォルダにあっては、前記表シート部及び前記裏シート部は一枚の長方形状シートの長さ方向中間部において折り畳んで形成され、長さ方向一端部は溶着により接合されており、前記装飾部の絵柄は、前記表シート部の長さ方向において、正規の絵柄寸法よりも大きい縮尺となるように描かれていることを特徴とする。
【００１２】
従って、請求項２に記載の書類フォルダは、前記装飾部の絵柄は、前記表シート部の長さ方向において、正規の絵柄寸法よりも大きい縮尺となるように描かれていることから、長さ方向を上下として表シート部正面から見た際には、縦長の歪んだ絵柄として見えるが、上下方向に視点角度をずらして所定の角度から見ることにより浮き上がるような立体的な絵柄を見ることができる。
【００１３】
請求項３に記載の書類フォルダにあっては、前記表シート部及び前記裏シート部は、透明性を有する合成樹脂により形成され、前記装飾部の絵柄は、前記表シート部の裏面に印刷により形成されていることを特徴とする。
【００１４】
請求項４に記載の書類フォルダにあっては、前記表シート部及び前記裏シート部は其々、Ａ４サイズの書類を収容することができる大きさに形成されており、前記表シート部の幅方向の開放端部には、切欠部が設けられていることを特徴とする。
【００１５】
請求項５に記載の書類フォルダにあっては、前記表シート部及び前記裏シート部は延伸ポリプロピレンにより形成されていることを特徴とする。延伸ポリプロピレンはＯＰＰと呼ばれ透明性に優れる。
【考案の効果】
【００１６】
請求項１及び２に記載の書類フォルダにあっては、表シート部の正面から見た際には、歪んだ絵柄であるが、所定の角度から見た際には浮き上がるというように興趣に富んだ装飾を有し、立体的な絵柄を見ることができるため、立体視するための別途の部材が不要であり手軽に楽しむことができる。
【００１７】
また、装飾部の絵柄は表シート部に描かれているため、書類を収納した状態であっても立体絵柄を楽しむことができる。
【００１８】
請求項３に記載の書類フォルダにあっては、前記表シート部は透明性を有する合成樹脂により形成され、前記装飾部の絵柄は、前記表シート部の裏面に印刷されていることから、表シート部の表面側は印刷による凹凸なく手触りの良い状態に仕上げることができると共に、例えば、使用して表シート部の表面が傷ついた場合であっても、装飾部の絵柄は傷つくことなく、長期間に亘って立体的な絵柄を楽しむことができる。
【００１９】
請求項４に記載の書類フォルダにあっては、前記表シート部の幅方向の開放端部には、切欠部が設けられていることから、隣接して配された表シート部と裏シート部を引き離す際に、切欠部により裏シート部だけに指をかけて表シート部を引き離すことができるため、書類を収納する操作を簡単に行うことができる。
【００２０】
請求項５に記載の書類フォルダにあっては、前記表シート部及び前記裏シート部は延伸ポリプロピレンにより形成されていることから、透明性に優れ、表シート部の裏面に配された装飾部の絵柄をより鮮明に見ることができる。また、例えば、書類フォルダをテーブル上に置いた場合には、テーブル表面が絵柄の背景として鮮明に見えるため、絵柄が際立って見ることができる。
【図面の簡単な説明】
【００２１】
【図１】図１は、本考案に係る書類フォルダの一実施の形態を示し、表シート部表面に対して正面から見た状態を示す平面図である。
【図２】図２は、本考案に係る書類フォルダの一実施の形態を示し、表シート部表面に対して１５度の角度をもって絵柄を下方側から見た状態を示す斜視図である。
【図３】図３は、本考案に係る書類フォルダの一実施の形態を示し、図１のIII―III線断面図である。
【考案を実施するための最良の形態】
【００２２】
以下、本考案に係る書類フォルダを実施の形態に基づき、図面を参照して詳細に説明する。
【００２３】
図１に示すように、本考案に係る書類フォルダ１０は、表シート部１１と、表シート部１１の幅方向における端部１２に連設され表シート部１１の裏面に隣接して配される裏シート部１３とを備え、表シート部１１と裏シート部１３との間に書類２１を挟持して収納することができる。
【００２４】
図１に示すように、表シート部１１には、アナモルフォーシスを用いて描かれた絵柄１４を備えた装飾部１５を有している。本実施の形態においては、絵柄１４はサッカーボール１４ａ、基準面１４ｂ、サッカーボールの影１４ｃにより構成され表シート部１１の裏面側に描かれている。
【００２５】
基準面１４ｂは、サッカーボール１４ａが浮き上がっているように見せるための基準となる面であり、図１に示すように、サッカーボール１４ａは、基準面１４ｂにサッカーボールの影１４ｃを描くことによって、基準面１４ｂに対して浮き上がっている状態に見えるように描かれている。
【００２６】
ここで、アナモルフォーシスとは、３Ｄトリックアートの１種であり、歪み絵とも称され、歪んだ絵柄を角度を変えてみることにより、正常な形が見えるようになるデザイン技法のひとつを示している。
【００２７】
サッカーボール１４ａは、表シート部１１の長さ方向の開放端部１９側に描かれており、長さ方向一端部１６側には、サッカーボールの影１４ｃが横長楕円形状に描かれている。さらに、サッカーボール１４ａ及びサッカーボールの影１４ｃに跨るように基準面１４ｂが平面四角形状に描かれている。
【００２８】
図３に示すように、装飾部１５の絵柄１４は、表シート部１１表面に対して正面以外の所定の角度αから見ることにより立体的に見えるように構成されている。本実施の形態における所定の角度αは凡そ１５度である。
【００２９】
図１及び図２に示すように、表シート部１１及び裏シート部１３は一枚の長方形状シートの長さ方向中間部において折り畳んで形成され、長さ方向一端部１６は溶着により接合されている。溶着部２０は、書類フォルダ１０の幅方向に沿って線状に形成されると共に表シート部１１の端部１２から幅方向の開放端部１７にかけて形成されている。
【００３０】
図１または図２に示すように、装飾部１５の絵柄１４であるサッカーボール１４ａ、基準面１４ｂ、サッカーボールの影１４ｃは、表シート部１１の長さ方向において、基準面１４ｂの上方にサッカーボール１４ａが浮き上がって見えるように形成された正規の絵柄寸法Ｌａ，Ｌｂ，Ｌｃよりも大きい縮尺の寸法Ｌ１ａ，Ｌ１ｂ，Ｌ１ｃとなるように歪んで描かれている。
【００３１】
本実施の形態においては、絵柄１４の縮尺の寸法Ｌ１ａ，Ｌ１ｂ，Ｌ１ｃは、正規の絵柄寸法Ｌａ，Ｌｂ，Ｌｃを表シート部１１の長さ方向において、１．２５倍に引き伸ばした状態で描かれており、絵柄１４の幅寸法については等倍率である。
【００３２】
図３に示すように、表シート部１１及び裏シート部１３は、透明性を有する合成樹脂である延伸ポリプロピレンにより形成されており、装飾部１５の絵柄１４は、表シート部１１の裏面に印刷により形成されている。
【００３３】
図１及び図２に示すように、表シート部１１及び裏シート部１３は其々、Ａ４サイズの書類２１を収容することができる大きさに形成されており、表シート部１１の幅方向の開放端部１７には、切欠部１８が設けられている。
【００３４】
本実施の形態においては、切欠部１８は略三角形状に形成されており、長さ方向の開放端部１９側に親指先端の大きさよりもやや大きい寸法に形成された第一切欠部１８ａと、長さ方向一端部１６側に設けられ第一切欠部１８ａよりも小さく形成された第二切欠部１８ｂが形成されている。
【００３５】
以下、本実施の形態に係る書類フォルダ１０の作用について、図面を参照して詳細に説明する。
【００３６】
本実施の形態に係る書類フォルダ１０は、以上のように構成されていることから、図３に示すように、表シート部１１と裏シート部１３との間に書類２１を挟持して収納することができる。その際に、第一切欠部１８ａに指を掛けることにより、表シート部１１と裏シート部１３とを容易に引き離して開くことができる。また、第一切欠部１８ａには収納した書類の端部２２が位置するため、書類の端部２２を直接摘まみ、取り出すことができる。
【００３７】
また、表シート部１１と裏シート部１３を引き離した際に、第二切欠部１８ｂがあることによって、溶着部２０に加わる力を分散して、溶着部２０の剥離を防止することができる。
【００３８】
次に装飾性については、利用者は、図３に示すように、表シート部１１の正面から見た際には、上下に１．２５倍の縮尺寸法で描かれた歪んだ絵柄１４に見える。一方で、表シート部１１表面に対して凡そ１５度の角度をもって絵柄１４を下方側から見た際には、図２に示すように、遠近の錯覚により、サッカーボール１４ａ、基準面１４ｂ、サッカーボールの影１４ｃは、歪みがなくなったように見える。
【００３９】
従って、サッカーボール１４ａが基準面１４ｂの上方に浮き上がっているように立体的に見ることができる。また、図３に示すように、サッカーボール１４ａ、基準面１４ｂ、サッカーボールの影１４ｃは、表シート部１１の裏面に印刷されていることから、表シート部１１の表面側は印刷による凹凸なく手触りの良い状態に仕上げることができる。
【００４０】
また、使用して表シート部１１の表面が傷ついた場合であっても、装飾部１５の絵柄１４は直接に傷つくことがない。サッカーボール１４ａ、基準面１４ｂ、サッカーボールの影１４ｃは、表シート部１１に描かれているため、表シート部１１と裏シート部１３との間に書類２１を収納した状態であっても前記立体の絵柄１４を楽しむことができる。
【００４１】
前述の立体視することができる現象は、絵柄１４を単眼で見ることによって、両目間で見る場合に比べて視点が１つとなり、観者が遠近を認識しずらくなるため、より鮮明に見ることができる。カメラによる動画、静止画で撮影する場合も同様の原理によって、より鮮明に見ることができる。
【００４２】
前記実施の形態においては、アナモルフォーシスを用いて描かれた絵柄１４は、正規の絵柄寸法Ｌａ，Ｌｂ，Ｌｃを表シート部１１の長さ方向において、１．２５倍に引き伸ばした状態で描かれている例を説明したが、これに限定されることはなく、表シート部１１の幅方向において引き伸ばした状態で描かれても良いし、斜め方向において引き伸ばして描かれていても良い。
【００４３】
また、表シート部１１正面以外の方向から見る際には、絵柄１４の部位によって視点と当該絵柄１４の部位との間の距離及び視点の角度は異なるため、絵柄１４の部位によって縮尺を変化させることによって、より有効な装飾効果が得られる。
【産業上の利用可能性】
【００４４】
本考案に係る書類フォルダは、製造販売することにより、一時的に書類を収納する収納具として広く利用することができるため産業上利用可能性を有している。
【符号の説明】
【００４５】
１０    書類フォルダ
１１    表シート部
１２    端部
１３    裏シート部
１４    絵柄
１４ａ  サッカーボール
１４ｂ  基準面
１４ｃ  サッカーボールの影
１５    装飾部
１６    長さ方向一端部
１７    幅方向の開放端部
１８    切欠部
１８ａ  第一切欠部
１８ｂ  第二切欠部
１９    長さ方向の開放端部
２０    溶着部
２１    書類
２２    書類の端部
【図１】
0003199118.tif 000003
【図２】
0003199118.tif 000004
【図３】
0003199118.tif 000005